【手続補正書】
【提出日】平成20年4月11日(2008.4.11)
【手続補正１】
【補正対象書類名】特許請求の範囲
【補正対象項目名】全文
【補正方法】変更
【補正の内容】
【特許請求の範囲】
【請求項１】
外表面を有する繊維コアと、
前記繊維の周囲の光透過性導電体と、
前記繊維コアの前記外表面と前記光透過性導電体との間に配置されている
感光性ナノマトリクス材料と、
電荷輸送材料と、
を含む太陽電池材料。
【請求項２】
前記繊維コアのガラス転移温度が、約３００℃未満である、請求項１に記載の太陽電池材料。
【請求項３】
前記繊維コアのガラス転移温度が、約２５℃〜約１５０℃の範囲にある、請求項１に記載の太陽電池材料。
【請求項４】
前記繊維コアが、柔軟なポリマー材料からなる、請求項１に記載の太陽電池材料。
【請求項５】
前記繊維コアが、ポリエチレンテレフタレートからなる、請求項１に記載の太陽電池材料。
【請求項６】
前記繊維コアが、フラックス、綿、ウール、絹糸、ナイロン、及びそれらの組合せから成る群から選択される材料からなる、請求項１に記載の太陽電池材料。
【請求項７】
前記感光性ナノマトリクス材料が、ナノ粒子を含む、請求項１に記載の太陽電池材料。
【請求項８】
前記感光性ナノマトリクス材料が、ヘテロ接合複合材料を含む、請求項１に記載の太陽電池材料。
【請求項９】
前記感光性ナノマトリクス材料が、相互接続された１つ又は複数の金属酸化物ナノ粒子を含む、請求項１に記載の太陽電池材料。
【請求項１０】
前記感光性ナノマトリクス材料が、感光剤をさらに含む、請求項１に記載の太陽電池材料。
【請求項１１】
前記感光剤が、色素を含む、請求項１０に記載の太陽電池材料。
【請求項１２】
前記感光剤が、キサンチン、シアニン、メロシアニン、フタロシアニン、及びピロールから成る群から選択される有機分子を含む、請求項１０に記載の太陽電池材料。
【請求項１３】
前記電荷輸送材料が、電解質を含む、請求項１に記載の太陽電池材料。
【請求項１４】
前記電荷輸送材料が、レドックス系（redox system）を含む、請求項１に記載の太陽電池材料。
【請求項１５】
前記繊維コアの前記外表面と前記光透過性導電体との間に配置されている触媒作用を示す媒体をさらに含む、請求項１に記載の太陽電池材料。
【請求項１６】
前記触媒作用を示す媒体が、白金を含む、請求項１５に記載の太陽電池材料。
【請求項１７】
前記感光性ナノマトリクス材料が、平均粒径約２ｎｍ〜約１００ｎｍの粒子を含む、請求項１に記載の太陽電池材料。
【請求項１８】
前記感光性ナノマトリクス材料が、平均粒径約１０ｎｍ〜約４０ｎｍの粒子を含む、請求項１に記載の太陽電池材料。
【請求項１９】
前記繊維コアが、実質的に電気絶縁性である、請求項１に記載の太陽電池材料。
【請求項２０】
前記繊維コアが、実質的に導電性である、請求項１に記載の太陽電池材料。
【請求項２１】
前記繊維コアの前記外表面上に配置された内部導電体をさらに含む、請求項１に記載の太陽電池材料。
【請求項２２】
請求項１に記載の太陽電池材料を含む製品。
【請求項２３】
請求項１に記載の太陽電池材料を含む柔軟性織物。
【請求項２４】
外表面を有し且つガラス転移温度が約３００℃未満である繊維コアと、
前記繊維コアの前記外表面上に配置されている光転換材料と、
を含む、太陽電池材料。
【請求項２５】
前記光転換材料が、感光性ナノマトリクス材料及び電荷輸送材料を含む、請求項２４に記載の太陽電池材料。
【請求項２６】
前記光転換材料が、前記繊維コアの前記外表面上に配置されている内部導電体を含む、請求項２５に記載の太陽電池材料。
【請求項２７】
外表面を有し且つ直径が約５００μｍである繊維コアと、
前記繊維コアの前記外表面上に配置されている光転換材料と、
を含む太陽電池材料。
【請求項２８】
前記繊維コアの直径が、約２５０μｍ未満である、請求項２７に記載の太陽電池材料。
【請求項２９】
前記繊維コアの直径が、約１２５μｍ未満である、請求項２７に記載の太陽電池材料。
【請求項３０】
前記繊維コアのガラス転移温度が、約３００℃未満である、請求項２７に記載の太陽電池材料。
【請求項３１】
前記光転換材料が、感光性ナノマトリクス材料及び電荷輸送材料を含む、請求項２７に記載の太陽電池材料。
【請求項３２】
前記光転換材料が、前記繊維コアの前記外表面上に配置されている内部導電体を含む、請求項２７に記載の太陽電池材料。
【請求項３３】
外表面を有する繊維コアと、
前記外表面上に配置されている光転換材料と、
前記光転換材料の周囲を覆っている導電体と、
を含む、太陽電池材料。
【請求項３４】
前記繊維コアのガラス転移温度が、約３００℃未満である、請求項３３に記載の太陽電池材料。
【請求項３５】
前記光転換材料が、感光性ナノマトリクス材料及び電荷輸送材料を含む、請求項３３に記載の太陽電池材料。
【請求項３６】
前記光転換材料が、前記繊維コアの前記外表面上に配置されている内部導電体を含む、請求項３３に記載の太陽電池材料。
【請求項３７】
太陽電池材料を形成する方法であって、
外表面を有する繊維コアを設けるステップと、
前記繊維コアの前記外表面上に感光性ナノマトリクス材料及び電荷輸送材料を配置するステップと、
前記繊維コアの周囲に光透過性導電体を配置するステップと、
を包含する方法。
【請求項３８】
太陽電池材料を形成する方法であって、
外表面を有し且つガラス転移温度が約３００℃未満である繊維コアを設けるステップと、
前記繊維の前記外表面上に光転換材料を設けるステップと、
を包含する方法。
【請求項３９】
前記光転換材料が、感光性ナノマトリクス材料及び電荷輸送材料を含む、請求項３８に記載の方法。
【請求項４０】
前記繊維コアの前記外表面上に内部導電体を配置することをさらに含む、請求項３８に記載の方法。
【請求項４１】
太陽電池材料を形成する方法であって、
外表面を有し且つ直径が約５００μｍである繊維コアを設けるステップと、
前記繊維コアの前記外表面上に光転換材料を配置するステップと、
を包含する方法。
【請求項４２】
太陽電池材料を形成する方法であって、
外表面を有する繊維コアを設けるステップと、
前記繊維コアの前記外表面上に光転換材料を配置するステップと、
前記光転換材料の周囲を覆う導電体を配置するステップと、
を包含する方法。
【請求項４３】
外表面を有する繊維コアと、
前記繊維コアの前記外表面に適用されている感光性ナノマトリクス材料と、
その中に前記繊維コアを覆っている感光性ナノマトリクス材料、電化輸送材料及び対向電極が配置されている保護層と、
を含む太陽電池繊維。
【請求項４４】
前記繊維コアが、実質的に導電性である、請求項４３に記載の太陽電池繊維。
【請求項４５】
前記繊維コアが、実質的に電気絶縁性であり、且つ前記電気絶縁性繊維コア上に配置されている内部導電体をさらに含む、請求項４３に記載の太陽電池繊維。
【請求項４６】
前記保護層が、柔軟性ポリマー材料からなる、請求項４３に記載の太陽電池繊維。
【請求項４７】
前記感光性ナノマトリクス材料が、ナノ粒子を含む、請求項４３に記載の太陽電池繊維。
【請求項４８】
前記ナノ粒子が、酸化チタン、酸化ジルコニウム、酸化亜鉛、酸化タングステン、酸化ニオブ、酸化ランタン、酸化スズ、酸化テルビウム、酸化タンタル、及び１つ又は複数のそれらの組合せから成る群から選択される、請求項４７に記載の太陽電池繊維。
【請求項４９】
前記対向電極が、白金を含む、請求項４３に記載の太陽電池繊維。
【請求項５０】
前記電荷輸送材料が、レドックス電解質を含む、請求項４３に記載の太陽電池繊維。
【請求項５１】
太陽電池繊維を形成する方法であって、
外表面を有する繊維コアを設けるステップと、
前記繊維コアの前記外表面上に感光性ナノマトリクス材料を適用するステップと、
前記繊維コアを覆っている感光性ナノマトリクス材料、電荷輸送材料、及び対向電極を保護層内部に配置し、太陽電池繊維を形成するステップと、
を包含する方法。
【請求項５２】
前記繊維コアが、実質的に導電性である、請求項４３に記載の太陽電池繊維。
【請求項５３】
前記繊維コアが、実質的に電気絶縁性であり、且つ前記電気絶縁性繊維コア上に配置されている内部導電体をさらに含む、請求項５１に記載の方法。
【請求項５４】
前記保護層が、柔軟性ポリマー材料からなる、請求項５１に記載の方法。
【請求項５５】
前記感光性ナノマトリクス材料が、ナノ粒子を含む、請求項５１に記載の方法。
【請求項５６】
前記ナノ粒子が、酸化チタン、酸化ジルコニウム、酸化亜鉛、酸化タングステン、酸化ニオブ、酸化ランタン、酸化スズ、酸化タンタル、及び１つ又は複数のそれらの組合せからなる群から選択される、請求項５５に記載の方法。
【請求項５７】
前記対向電極が、白金を含む、請求項５１に記載の方法。
【請求項５８】
前記電荷輸送材料が、レドックス電解質を含む、請求項５１に記載の方法。
【請求項５９】
配置するステップが、前記保護層内部に、前記繊維コアを覆っている感光性ナノマトリクス材料、前記電荷輸送材料、及び前記対向電極を挿入し、太陽電池繊維を形成することを含む、請求項５１に記載の方法。
【請求項６０】
配置するステップが、前記繊維コアを覆っている感光性ナノマトリクス材料、前記電荷輸送材料、及び対向電極の上に、前記保護層をコーティングし、太陽電池繊維を形成することを含む、請求項５１に記載の方法。
【請求項６１】
外表面を有する繊維コアと、
光透過性導電体と、
前記繊維コアの前記外表面と前記光透過性導電体との間に配置されている光転換材料と、
を含む太陽電池材料であって、前記光転換材料がヘテロ接合複合材料を含む、太陽電池材料。
【請求項６２】
前記ヘテロ接合複合材料が、フラーレン、カーボンナノチューブ、及びそれらの組み合わせから成る群から選択される材料を含む、請求項６１に記載の太陽電池材料。
【請求項６３】
前記ヘテロ接合複合材料が、フラーレンを含む、請求項６１に記載の太陽電池材料。
【請求項６４】
前記ヘテロ接合複合材料が、共役ポリマーを含む、請求項６１に記載の太陽電池材料。
【請求項６５】
前記共役ポリマーが、ポリチオフェン、ポリキノリン、ポリフェニレンビニレン、及びそれらの組み合わせから成る群から選択されるポリマーを含む、請求項６４に記載の太陽電池材料。
【請求項６６】
前記光転換材料が、さらに、相互接続された１つ又は複数の金属酸化物ナノ粒子を含む、請求項６４に記載の太陽電池材料。
【請求項６７】
前記繊維コアが、柔軟なポリマー材料を含む、請求項６１に記載の太陽電池材料。
【請求項６８】
前記繊維コアが、ポリエチレンテレフタラートを含む、請求項６１に記載の太陽電池材料。
【請求項６９】
前記繊維コアが、フラックス、綿、ウール、絹糸、ナイロン、及びそれらの組み合わせから成る群から選択される材料を含む、請求項６１に記載の太陽電池材料。
【請求項７０】
前記繊維コアが、実質的に電気絶縁性である、請求項６１に記載の太陽電池材料。
【請求項７１】
前記繊維コアの前記外表面上に配置されている内部導電体をさらに含む、請求項７０に記載の太陽電池材料。
【請求項７２】
前記繊維コアが、実質的に導電性である、請求項６１に記載の太陽電池材料。
【請求項７３】
前記繊維コアが、金属、金属酸化物、合金、導電性ポリマー、充填ポリマー、及びそれらの組み合わせから成る群から選択される材料を含む、請求項７２に記載の太陽電池材料。
【請求項７４】
請求項６１に記載の太陽電池材料を含む製品。
【請求項７５】
請求項６１に記載の太陽電池材料を含む柔軟性織物。
【請求項７６】
太陽電池製品であって、
外表面を有する導電性繊維コアと、
前記導電性繊維コアの前記外表面によって支持されている光転換材料と、
ワイヤ状の対向電極と、
前記製品がワイヤ状となるように前記導電性繊維コア、前記光転換材料及び前記対向電極を覆っている保護層と、
を含む、太陽電池製品。
【請求項７７】
前記保護層が、柔軟なポリマー材料を含む、請求項７６に記載の太陽電池製品。
【請求項７８】
前記対向電極が、白金を含む、請求項７６に記載の太陽電池製品。